(57)【要約】      （修正有）【課題】使用開始前において、カッターの刃先が露出されることのない包装容器を提供する。【解決手段】ロール状に巻かれた被包装体１２を収容する容器本体１４と、該容器本体の後面壁２６の頂縁から回動可能に連設されており、該容器本体の上部開口部を閉じる蓋体頂面壁３２及び該容器本体の前面壁２０を覆う蓋体前面壁３４とからなる蓋体１８と、該容器本体の底面壁２２に設けられ、刃先３０が容器本体の前面壁より前方へ突出しているカッターとを備える包装容器１０において、蓋体前面壁の自由縁部４２が、カッターの突出した刃先を完全に覆うよう延びている。【選択図】図１
2009035302.tif 000002
【特許請求の範囲】
【請求項１】
ロール状に巻かれた被包装体を収容する容器本体と、
前記容器本体の後面壁の頂縁から回動可能に連設されており、前記容器本体の上部開口部を閉じる蓋体頂面壁及び前記容器本体の前記前面壁を覆う蓋体前面壁からなる蓋体と、
前記容器本体の前記底面壁に設けられ、刃先が前記前面壁より前方へ突出しているカッターと、
を備える包装容器において、
前記蓋体前面壁の自由縁部が、前記カッターの前記刃先を完全に覆うように延びていることを特徴とする、包装容器。
【発明の詳細な説明】
【技術分野】
【０００１】
本発明は、ロール状に巻かれた被包装体を包装するための包装容器に関する。被包装体としては、ラップフィルム、クッキングシート、アルミホイル等が挙げられる。
【背景技術】
【０００２】
従来から、クッキングシートのようなロール状の被包装体を包装するための容器が種々知られている。その多くは厚紙製であり、被包装体を収容する容器本体と、この容器本体の後面壁に一体的に連設されている蓋体とから構成されている。また、容器から引き出された被包装体を切断するために、容器本体の底面壁に、刃先が前方に突出するようにしてカッターが装着されているものもある。
【発明の開示】
【発明が解決しようとする課題】
【０００３】
しかしながら、上述したような従来の包装容器は、使用開始前の封緘状態においてもカッターの刃先が突出したまま露出されており、運搬又は店頭陳列のため包装容器を並べたり積み上げたりすると、露出された刃先によって、隣接した包装容器の表面が傷つく恐れがある。
【０００４】
そこで、本発明の目的は、封緘状態においてもカッターの刃先が露出されることのない包装容器を提供することにある。
【課題を解決するための手段】
【０００５】
上記課題を解決するために、本発明は、ロール状に巻かれた被包装体を収容する容器本体と、該容器本体の後面壁の頂縁から回動可能に連設されており、該容器本体の上部開口部を閉じる蓋体頂面壁及び該容器本体の前面壁を覆う蓋体前面壁とからなる蓋体と、該容器本体の底面壁に設けられ、刃先が容器本体の前面壁より前方へ突出しているカッターとを備える包装容器において、蓋体前面壁の自由縁部が、カッターの突出した刃先を完全に覆うように延びていることを特徴としている。
【発明の効果】
【０００６】
本発明によれば、封緘状態において、カッター刃先が露出されることのない包装容器が提供される。よって、本発明の包装容器を用いることによって、包装容器を並べ積み上げた際、隣合う包装容器同士で傷つけることを防ぐことができる。
【発明を実施するための最良の形態】
【０００７】
以下、図面を参照しながら本発明の好適な実施形態について詳細に説明する。なお、本明細書及び特許請求の範囲において「上」、「下」、となる語は、図１に示す位置状態での上、下を言うものとする。また、図１において矢印Ａで示した方向を前方とする。
【０００８】
図１は、本発明による包装容器の斜視図である。図１の包装容器１０は、半分程度開封された状態で描かれており、使用開始前の封緘された状態の包装容器１０については、左半分を参照し、開封された後の包装容器１０については、右半分を参照されたい。
【０００９】
本実施形態の包装容器１０は、被包装体としてロール状に巻かれたクッキングシート１２を包装するためのものであり、クッキングシート１２を収容する略直方体形状の容器本体１４と、容器本体１４の上部開口部を閉じる蓋体１８とから構成されている。容器本体１４及び蓋体１８は、一枚の厚紙から作られている。
【００１０】
なお、被包装体は、クッキングシート１２のみならず、ラップフィルムやアルミホイル等であってもよい。
【００１１】
容器本体１４は、図１に示すように、前面壁２０と、底面壁２２と、後面壁２４と、左右の側面壁２６とにより形成された箱体であり、その上部には開口部が形成されている。この開口部から、容器本体１４内に収容されたクッキングシート１２が引き出されることとなる。
【００１２】
引き出されたクッキングシート１２は、容器本体１４の底面壁２２に装着されたカッター２８によって切断される。カッター２８は、一般的に金属薄板からなる鋸歯状カッターであり、前面壁２０と底面壁２２との接線に沿って、底面壁２２の全長にわたって延びている。また、カッター２８の刃先３０は容器本体１４の前面壁２０より僅かに前方へ突出している。
【００１３】
容器本体１４の後面壁２４の頂縁から蓋体１８が連設されており、蓋体１８は、後面壁２４の頂縁を軸として回動可能である。より詳細には、蓋体１８は、容器本体１４の後面壁２４に連設されている蓋体頂面壁３２と、蓋体頂面壁３２に連設されている蓋体前面壁３４とを有している。蓋体前面壁３４は、蓋体頂面壁３２に連設されている副蓋片３６と、ミシン目３７を介して副蓋片３６に繋がっている開封片３８とから構成されている。
【００１４】
封緘状態においては、蓋体頂面壁３２は容器本体１４の上部開口部を閉じ、蓋体前面壁３４は容器本体１４の前面壁２０を完全に覆う。また、容器本体１４の前面壁２０と開封片３８は、適当な接着部位４０において局所的に接着される。
【００１５】
蓋体前面壁３４の自由縁部４２、すなわち開封片３８の自由縁部４２は、容器本体１４の底面壁２２より下方へ僅かに延び、カッター２８の刃先３０を完全に覆っている。しかし、カッター２８より過度に下方へ突き出ると、開封片３８の自由縁部４２は、他の商品に引っ掛りやすいので、カッター２８の刃先３０を確実に隠すことができる最小範囲で突き出ることが特に好ましい。
【００１６】
このような構成においては、封緘状態ではカッター２８の刃先３０が蓋体前面壁３４、すなわち開封片３８によって覆い隠されるため、例えば運搬時において隣合う包装容器１０同士が接触したとしても、一方の包装容器１０のカッター２８が他方の包装容器１０を傷つけるおそれは一切ない。
【００１７】
また、使用者が包装容器１０を開封する際、まず、ミシン目３７に沿って開封片３８を副蓋片３６から引き剥がすのであるが、その際、開封片３８の自由縁部４２の端がカッター２８よりも下方に突出しているため、指を掛けやすく、開封片３８の切除も容易となる。
【００１８】
なお、開封片３８が切り取られた後は、従来のものと同様に、カッター２８の刃先３０が露出されると共に、蓋体１８を開けることができる。したがって、蓋体１８を開けて、ロール状に巻かれたクッキングシート１２の先端を指で摘んで包装容器１０の外側へ引き出してから、所望のときにカッター２８で切断することが可能となる。
【００１９】
以上、本発明の好適な実施形態について説明したが、本発明は上記実施形態に限定されないことは言うまでもない。例えば、包装容器は紙製に限らず、プラスチック製のものであってもよい。また、蓋体前面壁に開封片が設けられず、粘着テープ等によって蓋体が容器本体を封緘する構成であってもよい。この場合も、封緘状態では蓋体前面壁の自由縁部がカッターの刃先を覆う必要があることは勿論である。
【図面の簡単な説明】
【００２０】
【図１】本発明による包装容器を示す斜視図である。
【符号の説明】
【００２１】
１０…包装容器、１２…クッキングシート（被包装体）、１４…容器本体、１８…蓋体、２０…容器本体の前面壁、２２…容器本体の底面壁、２４…容器本体の後面壁、２６…容器本体の側面壁、２８…カッター、３０…刃先、３２…蓋体頂面壁、３４…蓋体前面壁、３６…副蓋片、３７…ミシン目、３８…開封片、４０…接着部位、４２…自由縁部。
【図１】
2009035302.tif 000003